(57)【要約】【課題】高い開口率を有するとともに強度を向上させた情報表示用パネルを提供する。【解決手段】互いに対向する２枚の基板間に形成された隔壁で区画されたセル内に、帯電性を有する少なくとも２種類の表示媒体を封入し、該表示媒体に、前記２枚の基板に設けた電極から電界を付与することにより該表示媒体を基板間で移動させて画像等の情報を表示する情報表示用パネルにおいて、１つのセルを区画する隔壁のうち一部の隔壁は、観察側の基板から背面側の基板に向かってテーパーが形成され、隔壁断面における、前記一部の隔壁の観察側の端部幅が、観察側とは反対側の端部幅より小さい。【選択図】図３
2012189962.tif 000002
【特許請求の範囲】
【請求項１】
互いに対向する２枚の基板間に形成された隔壁で区画されたセル内に、帯電性を有する少なくとも２種類の表示媒体を封入し、該表示媒体に、前記２枚の基板に設けた電極から電界を付与することにより該表示媒体を基板間で移動させて画像等の情報を表示する情報表示用パネルにおいて、
１つのセルを区画する隔壁のうち一部の隔壁は、観察側の基板から背面側の基板に向かってテーパーが形成され、
隔壁断面における、前記一部の隔壁の観察側の端部幅が、観察側とは反対側の端部幅より小さい、
ことを特徴とする情報表示用パネル。
【請求項２】
隔壁断面における、前記一部の隔壁の観察側の端部幅が、０．１μｍ〜１０μｍであることを特徴とする請求項１に記載の情報表示用パネル。
【請求項３】
前記２枚の基板が可撓性基板であり、
観察側の基板から背面側の基板に向かってテーパーが形成されるとともに、隔壁断面における、観察側の端部幅が、観察側とは反対側の端部幅より小さい隔壁が、所定の一方向に延在している、
ことを特徴とする請求項１または２に記載の情報表示用パネル。
【請求項４】
前記２枚の基板がガラス基板であり、
観察側の基板から背面側の基板に向かってテーパーが形成されるとともに、隔壁断面における、観察側の端部幅が、観察側とは反対側の端部幅より小さい隔壁が、所定の一方向に延在している、
ことを特徴とする請求項１または２に記載の情報表示用パネル。
【発明の詳細な説明】
【技術分野】
【０００１】
本発明は、高い開口率を有するとともに強度を向上させた情報表示用パネルに関するものである。
【背景技術】
【０００２】
従来、互いに対向する２枚の基板間に形成された隔壁で区画されたセル内に、帯電性を有する表示媒体を封入し、この表示媒体に電界を付与することにより該表示媒体を基板間で移動させて画像等の情報を表示する画像表示装置が知られている（例えば、特許文献１）。この画像表示装置の隔壁の一例として、図９（ａ）に平面図を示すように、４つの隔壁４ａ〜４ｄによって、１つの四角形のセル７が区画されているものがある。また、図９（ｂ）に図９（ａ）のＦ−Ｆ断面図を示すように、対向する基板１、２の間に設けられた隔壁４は、基板１から基板２に向かってその幅が同一の柱体である。
また、開口率を向上するために、図１０（ａ）に平面図、図１０（ｂ）に図１０（ａ）のＧ−Ｇ断面図を示すように、隔壁断面における、観察側の基板２の端部幅Ｗ２を、観察側とは反対側の基板１の端部幅Ｗ１より小さくする技術が開示されている（例えば、特許文献２）。
【先行技術文献】
【特許文献】
【０００３】
【特許文献１】特開２００７−１４８３８１号公報
【特許文献２】特開２００３−２０８１０７号公報
【発明の概要】
【発明が解決しようとする課題】
【０００４】
図１０（ｂ）において、点線で示す隔壁断面を、実線で示す隔壁断面に変更することにより、開口率を向上することはできた。しかしながら、観察側の端部幅Ｗ２が小さいため、２枚の基板１、２を圧着して貼り合わせる際に、隔壁がよれて不良品となる、あるいは、使用中にわずかな圧縮に対して変形するといったような、画像表示装置の強度が十分に確保されないおそれがあった。
そこで、本発明の目的は、高い開口率を有するとともに強度を向上させた情報表示用パネルを提供することにある。
【課題を解決するための手段】
【０００５】
本発明の情報表示用パネルは、互いに対向する２枚の基板間に形成された隔壁で区画されたセル内に、帯電性を有する少なくとも２種類の表示媒体を封入し、該表示媒体に、前記２枚の基板に設けた電極から電界を付与することにより該表示媒体を基板間で移動させて画像等の情報を表示する情報表示用パネルにおいて、１つのセルを区画する隔壁のうち一部の隔壁は、観察側の基板から背面側の基板に向かってテーパーが形成され、隔壁断面における、前記一部の隔壁の観察側の端部幅が、観察側とは反対側の端部幅より小さい、ことを特徴とするものである。
【０００６】
本発明の情報表示用パネルは、隔壁断面における、前記一部の隔壁の観察側の端部幅が、０．１μｍ〜１０μｍであること、前記２枚の基板が可撓性基板あるいはガラス基板であり、観察側の基板から背面側の基板に向かってテーパーが形成されるとともに、隔壁断面における、観察側の端部幅が、観察側とは反対側の端部幅より小さい隔壁が、所定の一方向に延在していること、が好適である。
【図面の簡単な説明】
【０００７】
【図１】表示メモリ性のある表示媒体として帯電性粒子を含んだ粒子群を用いた情報表示用パネルの一例を説明するための図である。
【図２】表示メモリ性のある表示媒体として帯電性粒子を含んだ粒子群を用いた情報表示用パネルの他の例を説明するための図である。
【図３】本発明の情報表示用パネルの隔壁を説明するための図である。
【図４】本発明の情報表示用パネルの隔壁を説明するための図である。
【図５】本発明の情報表示用パネルの隔壁を説明するための図である。
【図６】本発明の情報表示用パネルの隔壁を説明するための図である。
【図７】本発明の有利な効果を説明するための図である
【図８】インプリント法による隔壁形成方法を説明するための図である。
【図９】従来の画像表示装置の隔壁を説明するための図である。
【図１０】従来の画像表示装置の隔壁を説明するための図である。
【発明を実施するための形態】
【０００８】
まず、本発明の情報表示用パネルのうち、表示メモリ性のある表示媒体として帯電性粒子を含んだ粒子群を用いる情報表示用パネルの一例について説明する。
情報表示用パネルでは、対向する２枚の基板間の空間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
まず、本発明の情報表示用パネルのうち、帯電性粒子を含んだ粒子群を表示媒体として用いる情報表示用パネルの例を、図１および図２に基づき説明する。
【０００９】
図１に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セル７において、背面側の基板１に設けた電極５（ストライプ電極）と観察側の透明な基板２に設けた透明電極６（ストライプ電極）とが対向交差（好ましくは対向直交交差）して形成する画素電極対の間に電圧を印加することにより発生する電界に応じて、基板１、２と垂直に移動させる。そして、図１（ａ）に示すように白色表示媒体３Ｗを観察者に視認させて白色の表示を、あるいは、図１（ｂ）に示すように黒色表示媒体３Ｂを観察者に視認させて黒色の表示を、白黒のドットでマトリックス表示している。ここでは、セルと画素（ドット）とが１対１に対応する例を示している。また、セル内を空気で満たしているが、他の気体で満たしたり、真空としたりしてもよい。また、絶縁液体を満たしてもよい。
【００１０】
図２に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と透明な基板２に設けた透明電極６（共通電極）との間に電圧を印加することにより発生する電界に応じて、基板１、２との間で垂直に移動させる。そして、図２（ａ）に示すように白色表示媒体３Ｗを観察者に視認させて白色の表示を、あるいは、図２（ｂ）に示すように黒色表示媒体３Ｂを観察者に視認させて黒色の表示を、白黒のドットでマトリックス表示している。ここでは、セルと画素（ドット）とが１対１に対応する例を示している。また、セル内を空気で満たしているが、他の気体で満たしたり、真空としたりしてもよい。また、絶縁液体を満たしてもよい。
【００１１】
図３（ａ）は、本発明の情報表示用パネルの隔壁を説明するための平面図であり、図３（ｂ）は、図３（ａ）のＡ−Ａ断面図であり、図３（ｃ）は、図３（ａ）のＢ−Ｂ断面図である。
４つの隔壁４ａ〜４ｄによって、１つの四角形のセル７が区画され、セル７は格子状に配置されている。隔壁４ａ〜４ｄのうちの一部である隔壁４ｂ、４ｄは、図３（ｂ）に示すように、観察側の基板２から背面側の基板１に向かってテーパーが形成され、隔壁断面における、隔壁４ｄの観察側の端部幅Ｗ２が、観察側とは反対側である背面側の端部幅Ｗ１より小さい。隔壁４ａ〜４ｄのうちの残りの隔壁４ａ、４ｃは、図３（ｃ）に示すように、基板１から基板２に向かってその幅がＷ１で同一の柱体である。
【００１２】
このように、一部の隔壁４ｂ、４ｄをテーパー状に形成し、隔壁４ｂ、４ｄの観察側の端部幅Ｗ２を、通常のものより狭くすることにより、図９に示した従来例に比較して、情報表示用パネルの開口率を向上させることができる（Ｗ１：０．１μｍ〜１０μｍ、Ｗ２：１１μｍ〜５０μｍであることが好ましい）。
ただし、１つのセル７を区画する全ての隔壁４ａ〜４ｄをテーパー状に形成すると、上述したように、情報表示用パネルの強度が不足するおそれがある。それゆえ、残りの隔壁４ａ、４ｃを、テーパー状ではなく、柱体に形成することにより、図１０に示した従来例に比較して、情報表示用パネルの強度を確保することができる。
なお、図示例では、隔壁４ａの幅と、隔壁４ｄの背面側の端部幅と、を同一としているが、これらの幅は情報表示用パネルの開口率および強度を鑑みて適宜設定することができる。
隔壁４ｄのテーパー角θは、５°以上であることが好ましい。テーパー角θが５°未満の場合は、隔壁４ｄが柱体の場合と大差ないためである。このように、隔壁４ｄをテーパー状にすることにより、隔壁４をインプリント法により製造する場合、モールドから離型しやすいという利点も有している。
【００１３】
図４（ａ）は、本発明の情報表示用パネルの隔壁を説明するための平面図であり、図４（ｂ）は、図４（ａ）のＣ−Ｃ断面図である。
１つの四角形のセル７ａは、４つの隔壁４ａ、４ｂ、４ｃおよび４ｇによって区画されている。４つの隔壁のうちの一部である３つの隔壁４ａ、４ｂおよび４ｇは、観察側の基板２から背面側の基板１に向かってテーパーが形成され、観察側の端部幅Ｗ２が、背面側の端部幅Ｗ１より小さい。一方、残りの隔壁４ｃは、観察側の基板２から背面側の基板１に向かってその幅が同一の柱体である。
また、セル７ｂは、４つの隔壁４ｃ、４ｄ、４ｅおよび４ｉによって区画されている。４つの隔壁のうちの一部である２つの隔壁４ｄおよび４ｉは、観察側の基板２から背面側の基板１に向かってテーパーが形成され、一方、残りの隔壁４ｃおよび４ｅは、観察側の基板２から背面側の基板１に向かってその幅が同一の柱体である。
また、セル７ｃは、４つの隔壁４ｆ、４ｇ、４ｈおよび４ｋによって区画されている。４つの隔壁のうちの一部である３つの隔壁４ｆ、４ｇおよび４ｋは、観察側の基板２から背面側の基板１に向かってテーパーが形成され、一方、残りの隔壁４ｈは、観察側の基板２から背面側の基板１に向かってその幅が同一の柱体である。なお、図４（ｂ）に示すように、隔壁４ｋは、一方の壁面のみにテーパーが形成され、隔壁断面における、隔壁４ｄの基板２の端部幅Ｗ３が、基板１の端部幅Ｗ１より小さい。
また、セル７ｄは、４つの隔壁４ｈ、４ｉ、４ｊおよび４ｌによって区画されている。４つの隔壁のうちの一部である１つの隔壁４ｉは、観察側の基板２から背面側の基板１に向かってテーパーが形成され、一方、残りの隔壁４ｈ、４ｊおよび４ｌは、観察側の基板２から背面側の基板１に向かってその幅が同一の柱体である。
図示例のように、セル毎にテーパーを設ける隔壁の割合を変えることもできる。
【００１４】
図５（ａ）は、本発明の情報表示用パネルの隔壁を説明するための平面図であり、図５（ｂ）は、図５（ａ）のＤ−Ｄ断面図である。
１つの六角形のセル７は、６つの隔壁４ａ〜４ｆによって区画されている。６つの隔壁のうちの一部である２つの隔壁４ａおよび４ｄは、観察側の基板２から背面側の基板１に向かってテーパーが形成され、一方、残りの４つの隔壁４ｂ、４ｃ、４ｅおよび４ｆは、観察側の基板２から背面側の基板１に向かってその幅が同一の柱体である。
図示例のように、セル７の形状は、六角形とすることができ、その他、三角形や円形とすることもできる。また、セル７の配置は、格子状、ハニカム状あるいは網目状とすることもできる。これらのセル７の形状と配置を任意に組み合わせて、各種変形が可能である。
隔壁４の高さは、５μｍ〜１００μｍの範囲とし、帯電性粒子を含んだ粒子群を表示媒体とする方式の情報表示用パネルでは、隔壁４の高さを、１０μｍ〜１００μｍの範囲とすることが好ましい。
図５（ｂ）に示すように、隔壁４ａは、観察側の基板２から、表示媒体が通過しない程度の距離、離れていてもよい。表示媒体が通過しない程度の距離としては、表示媒体として帯電性粒子を用いる場合には、粒子径分布測定より得られる粒子径d(0.1)以下、好ましくは粒子径d（0）以下が良い。ｄ(0.1)はこれ以下の粒子の比率が10％である粒子径をμｍで表した数値、ｄ(0)はこれ以下の粒子が0％である粒子径をμｍで表した数値である。この場合、隔壁４ａは、情報表示用パネルの強度の向上に寄与しないが、残りの隔壁により必要な強度を確保できればよい。隔壁４ａを観察側の基板２から離すことにより、隔壁４ａと基板２との間に接着剤を設ける必要がなくなり、製造が容易になるとともに、接着剤による反射率の低下がなくなる。さらには観察側から、この部分の隔壁が確認できなくなり、より高精細な表示が可能になる。
【００１５】
また、本発明は、２枚の基板を可撓性基板として、フレキシブルな情報表示用パネルを製造する場合には、以下に説明するような利点を有する。
図６（ａ）に示すように、所定の一方向であるＸ方向に延在している隔壁４ａｘ、４ｂｘ、４ｃｘ、４ｄｘが、観察側の基板から背面側の基板に向かってテーパーが形成されるとともに、隔壁断面における、観察側の端部幅が、観察側とは反対側の端部幅より小さくすることが好ましい。この場合、Ｘ方向に延在している隔壁は、観察側の基板との接触面積が小さいため、２枚の基板を可撓性基板として、図６（ｂ）に示すように、Ｘ方向に情報表示用パネルを容易に撓めることができるという利点を有する。
【００１６】
また、本発明は、２枚の基板の位置合わせ（アライメント）が多少ずれた場合でも、情報表示用パネルの表示特性の劣化が少ないという利点を有するので、これを、図７を用いて以下に説明する。
図７（ａ）（ｂ）に示すように、隔壁４が形成された観察側の基板２を、電極５が形成された背面側の基板１に重ね合わせて、アライメントをとるものとする。
はじめに、従来のように、格子状の隔壁の幅がＸＹ方向ともに同一の場合を考える。正しいアライメント状態（図７（ｃ））の場合、１つのセルに対応する電極の面積を、図中太線で表す。正しいアライメント状態から、距離ｄだけＹ方向にアライメントがずれた状態（図７（ｄ））になると、表示媒体を駆動するのに機能する電極の面積が、隔壁４ｘの面積の分だけ差し引かれる。その結果、表示可能面積が減少するため、情報表示用パネルの表示特性が劣化する。
そこで、本発明では、Ｘ方向に延在する隔壁の観察側の端部幅を小さくすることにより、正しいアライメント状態から、距離ｄだけＹ方向にアライメントがずれた状態（図７（ｅ））でも、表示可能面積から差し引かれる隔壁４ｘの面積が小さい。それゆえ、表示可能面積の減少が小さいので、情報表示用パネルの表示特性の劣化も小さくなる。
【００１７】
以下、隔壁の形成方法および隔壁材料について説明する。
隔壁の形成方法としては、インプリント法、スクリーン印刷法、凸版印刷法、凹版印刷法、サンドブラスト法、フォトリソ法等がある。そのうち、インプリント法は、フォトリソ法に比べて工程数が少なく加工時間の短縮が可能であり、廃液の発生もなく環境的にも優れた方法であるので好ましい。特に、ＵＶインプリント法を用いると、隔壁の形成工程が室温で実施可能となるので好ましい。
【００１８】
図８を用いて、ＵＶインプリント法による隔壁の形成方法を説明する。
図８（ａ）に示すように、背面側の基板１の上に、紫外線硬化性樹脂組成物である隔壁材料４０を塗布する。次に、隔壁のパターンに対応した凹部２１を有するモールド２０を、隔壁材料４０が塗布された基板１上に載置、押圧する。すると、図８（ｂ）に示すように、モールド２０の凹部２１内に未硬化状態の隔壁材料４０が充填される。次に、モールド２０または基板１のうち、透明な部材側から紫外線を照射し、未硬化状態の隔壁材料４０を硬化させる。その後、図８（ｃ）に示すように、モールド２０から基板１を離型することで、基板１の基板面に所望のパターンの隔壁４が形成される。
【００１９】
ここで、隔壁材料４０としての紫外線硬化性樹脂組成物はどのようなものを用いてもよいが、特にインプリント法に使用できる液状の紫外線硬化性樹脂組成物が好ましい。液状の紫外線硬化性樹脂組成物は一般に、粘度は０．１Ｐａ・ｓ〜１００Ｐａ・ｓが好ましい。
【００２０】
紫外線硬化性樹脂組成物は紫外線硬化性樹脂と光開始剤を含む組成物が好ましい。
紫外線硬化性樹脂としては、例えば、ウレタンアクリレート、ポリエステルアクリレート、エポキシアクリレート、エポキシ樹脂、イミド系オリゴマー、ポリエン・チオール系オリゴマー等が挙げられる。
【００２１】
ウレタンアクリレートは、例えば、ヘキサメチレンジイソシアネート、イソホロンジイソシアネート、メチレンビス（４−シクロヘキシルイソシアネート）、トリメチルヘキサメチレンジイソシアネート、トリレンジイソシアネート、４，４−ジフェニルメタンジイソシアネート、キシリレンジイソシアネート等のジイソシアネート類とポリ（プロピレンオキサイド）ジオール、ポリ（プロピレンオキサイド）トリオール、ポリ（テトラメチレンオキサイド）ジオール、エトキシ化ビスフェノールＡ等のポリオール類と２−ヒドロキシエチルアクリレート２−ヒドロキシエチルメタクリレート、２−ヒドロキシプロピルアクリレート、グリシドールジメタクリレート、ペンタエリスリトールトリアクリレート等のヒドロキシアクリレート類を反応させることによって得られ、分子中に官能基としてアクリロイル基とウレタン結合を有するものである。
【００２２】
ポリエステルアクリレートとしては、例えば、無水フタル酸とプロピレンオキサイドとアクリル酸とからなるポリエステルアクリレート、アジピン酸と１，６−ヘキサンジオールとアクリル酸とからなるポリエステルアクリレート、トリメリット酸とジエチレングリコールとアクリル酸とからなるポリエステルアクリレート等が挙げられる。
【００２３】
エポキシアクリレートは、エピクロルヒドリン等のエポキシ化合物とアクリル酸又はメタクリル酸との反応により合成されたものであり、例えば、ビスフェノールＡとエピクロルヒドリンとアクリル酸との反応により合成されるビスフェノールＡ型エポキシアクリレート、ビスフェノールＳとエピクロルヒドリンとアクリル酸との反応により合成されるビスフェノールＳ型エポキシアクリレート、ビスフェノールＦとエピクロルヒドリンとアクリル酸との反応により合成されるビスフェノールＦ型エポキシアクリレート、フェノールノボラックとエピクロルヒドリンとアクリル酸との反応により合成されるフェノールノボラック型エポキシアクリレート等が挙げられる。
【００２４】
エポキシ樹脂としては、例えば、ビスフェノールＡ型エポキシ樹脂、ビスフェノールＦ型エポキシ樹脂、ビスフェノールＡＤ型エポキシ樹脂、ビスフェノールＳ型エポキシ樹脂等のビスフェノール型エポキシ樹脂；フェノールノボラック型エポキシ樹脂、クレゾールノボラック型エポキシ樹脂等のノボラック型エポキシ樹脂；トリスフェノールメタントリグリシジルエーテル等の芳香族エポキシ樹脂、および、これらの水添化物や臭素化物等が挙げられる。
【００２５】
光重合開始剤としては、光ラジカル重合開始剤および光カチオン重合開始剤が好ましく、光ラジカル重合開始剤としては、例えば、４−（２−ヒドロキシエトキシ）フェニル（２−ヒドロキシ−２−プロピル）ケトン、α−ヒドロキシ−α−α’−ジメチルアセトフェノン、メトキシアセトフェノン、２，２−ジメトキシ−２−フェニルアセトフェノン等のアセトフェノン誘導体；ベンゾインエチルエーテル、ベンゾインプロピルエーテル等のベンゾインエーテル系化合物；ベンジルジメチルケタール等のケタール誘導体；ハロゲン化ケトン、アシルフォスフィンオキシド、アシルフォスフォナート、２−メチル−１−［４
−（メチルチオ）フェニル］−２−モルフォリノプロパン−１−オン、２−ベンジル−２−Ｎ，Ｎ−ジメチルアミノ−１−（４−モルフォリノフェニル）−１−ブタン、ビス（２，４，６−トリメチルベンゾイル）−フェニルフォスフィンオキシドビス−（２，６−ジメトキシベンゾイル）２，４，４−トリメチルペンチルフォスフィンオキシド、ビス（η５−シクロペンタジエニル）−ビス（ペンタフルオロフェニル）−チタニウム、ビス（η５−シクロペンタジエニル）−ビス［２，６−ジフルオロー３−（１Ｈ−ピリ−１−イル）フェニル］−チタニウム、アントラセン、ペリレン、コロネン、テトラセン、ベンズアントラセン、フェノチアジン、フラビン、アクリジン、ケトクマリン、チオキサントン誘導体、ベンゾフェノン、アセトフェノン、２−クロロチオキサンソン、２，４−ジメチルチオキサンソン、２，４−ジエチルチオキサンソン、２，４−ジイソプロピルチオキサンソン、イソプロピルチオキサンソン等が挙げられる。光カチオン重合開始剤としては、例えば、鉄−アレン錯体化合物、芳香族ジアゾニウム塩、芳香族ヨードニウム塩、芳香族スルホニウム塩、オニウム塩、ピリジニウム塩、アルミニウム錯体／シラノール塩、トリクロロメチルトリアジン誘導体等が挙げられる。上記オニウム塩やピリジニウム塩の対アニオンとしては、例えば、ＳｂＦ６−、ＰＦ６−、ＡｓＦ６−、ＢＦ４−、テトラキス（ペンタフルオロ）ボレート、トリフルオロメタンスルフォネート、メタンスルフォネート、トリフルオロアセテート、アセテート、スルフォネート、トシレート、ナイトレート等が挙げられる。
光重合開始剤の添加量は、一般に紫外線硬化性樹脂１００質量部に対して、０．１〜１５質量部であり、好ましくは、０．５〜１０質量部である。
【００２６】
紫外線硬化性樹脂組成物には、反応性希釈剤が添加されてもよく、反応性希釈剤としては、例えば、１，４−ブタンジオールジアクリレート、１，６−ヘキサンジオールジアクリレート、ネオペンチルグリコールジアクリレート、２−（２−エトキシエトキシ）エチルアクリレート、テトラヒドロフルフリルアクリレート、２−フェノキシエチルアクリレート、ジエチレングリコールジアクリレート、テトラエチレングリコールジアクリレート、１，３−ブチレングリコールジアクリレート、トリプロピレングリコールジアクリレート、トリメチロールプロパントリアクリレート、ペンタエリスリトールテトラアクリレート、ヒドロキシピバリン酸ネオペンチルグリコールジアクリレート等が挙げられる。
紫外線硬化性樹脂組成物には、更に、必要に応じて、一般に添加されている光重合開始助剤、熱重合禁止剤、充填剤、接着付与剤、チクソ付与剤、可塑剤、着色剤等が添加されていてもよい。
【００２７】
以下、情報表示用パネルの各部材について説明する。
情報表示用パネルの基板１、２は、少なくとも観察側の基板２の表示領域が、情報表示用パネルの外側から表示媒体の色が確認できる透明な基板であり、可視光の透過率が高く且つ耐熱性の良い材料から成る基板であることが好ましい。背面側の基板１は、透明でも不透明でも構わないが、ＵＶインプリント法により隔壁を製造する場合、不透明なモールドを用いる際は、ＵＶ光を背面側の基板１の側から紫外線を照射するため、透明であることが好ましい。
【００２８】
また基板１、２としては、例えば、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリルなどの樹脂基板や、絶縁被覆された金属基板、ガラス基板等を用いることができる。基板材料は何でもよく、刃やレーザー加工、超音波加工によって切断できるものであればよい。切断を容易にするために基板１、２の厚さは薄い方が良いが、薄すぎると製造工程でのハンドリング性が悪化するため、基板１、２の厚さは、好ましくは２５μｍ〜１０００μｍの範囲であり、さらに好ましくは２５μｍ〜８００μｍの範囲である。
【００２９】
電極の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導性酸化亜鉛等の導電金属酸化物類、ポリアニリン、ポリピロール、ＰＥＤＯＴ／ＰＳＳ等を含むポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔（例えば圧延銅箔など）をラミネートする方法や、導電剤を溶媒や合成樹脂バインダーに混合して塗布してパターニング形成する方法が用いられる。観察側の基板２の表示領域に設ける電極は透明である必要があるが、背面側の基板１や表示領域外に設ける電極は透明である必要がない。ただし、上述したＵＶインプリント法により隔壁を製造する場合、不透明なモールドを用いる際は、ＵＶ光を背面側の基板１の側から紫外線を照射するため、透明であることが好ましい。いずれの場合もパターン形成可能である導電性である上記材料を好適に用いることができる。なお、電極の厚みは、導電性や光透過性を鑑みて決定され、０．０１μｍ〜１０μｍ、好ましくは０．０５μｍ〜５μｍである。
【００３０】
情報表示用パネルの表示媒体として帯電性粒子を用いる場合には、帯電性粒子（以下、粒子ともいう）は平均粒子径d(0.5)が、１μｍ〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３１】
さらに、粒子径分布に関して、下記式に示される粒子径分布Spanを５未満、好ましくは３未満とする。
Span＝（ｄ(0.9)−ｄ(0.1)）／ｄ(0.5) 
（但し、ｄ(0.5)は粒子の５０％がこれより大きく、５０％がこれより小さいという粒子径をμｍで表した数値、ｄ(0.1)はこれ以下の粒子の比率が１０％である粒子径をμｍで表した数値、ｄ(0.9)はこれ以下の粒子が90％である粒子径をμｍで表した数値である。）
Spanを５以下の範囲に納めることにより、帯電性粒子のサイズが揃い、均一な表示媒体としての移動が可能となる。
【００３２】
さらにまた、帯電極性の異なる２種類の帯電性粒子を表示媒体として使用する本発明の場合には、平均粒子径d(0.5)が大きい帯電性粒子の平均粒子径d(0.5)に対する、平均粒子径d(0.5)が小さい帯電性粒子の平均粒子径d(0.5)の比を１０以下とすることが肝要である。たとえ粒子径分布Spanを小さくしたとしても、互いに帯電極性の異なる帯電性粒子が動くので、互いの粒子サイズを同程度にすることで表示媒体として容易に移動できるようになるので好適であり、それがこの範囲となる。
【００３３】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３４】
さらに、帯電性粒子を含んだ粒子群として構成する表示媒体を気体中（真空中を含む）空間で駆動させる方式とする場合には、基板間の表示媒体を取り巻く空隙部分の気体の管理が重要であり、表示安定性向上に寄与する。具体的には、空隙部分の気体の湿度について、２５℃における相対湿度を６０％ＲＨ以下、好ましくは５０％ＲＨ以下とすることが重要である。
この空隙部分とは、図１および図２において、対向する基板１、２に挟まれる部分から、電極５、６（電極を基板の内側に設けた場合）、表示媒体３の占有部分、隔壁４の占有部分、パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるようにパネルに封入することが必要であり、例えば、表示媒体の充填、パネルの組み立てなどを所定湿度環境下にて行い、さらに、外からの湿度侵入を防ぐシール材、シール方法を施すことが肝要である。
【００３５】
また、基板間の気体中（真空中を含む）空間における表示媒体の体積占有率は５％〜７０％が好ましく、さらに好ましくは５％〜６０％である。７０％を超える場合には表示媒体としての粒子の移動に支障をきたし、５％未満の場合にはコントラストが不明確となり易い。
帯電性粒子を移動させて表示する方式には、この帯電性粒子を絶縁液体とともにセルに封止したものもあるが、本発明は、このような方式の情報表示用パネルにも適用できる。
【実施例】
【００３６】
以下、本発明の実施例について説明するが、本発明はこれだけに限定されるものではない。
発明例１〜７および比較例１〜４の各情報表示用パネルは、図３に示すように、四角形のセル７が格子状に配置され、その隔壁の仕様を表１に示す。発明例８〜１２および比較例５、６の各情報表示用パネルは、図５に示すように、六角形のセル７がハニカム状に配置され、その隔壁の仕様を表２に示す。
工程（１）〜（５）によって、各情報表示用パネルを製作した。
（１）ＩＴＯ電極パターンが形成された厚さ０．７ｍｍのガラス基板または厚さ０．１７５ｍｍのＰＥＴフィルム基板（可撓性基板）へ、ＵＶインプリント法により隔壁を形成する。
（２）隔壁を形成した基板へ、表示媒体（d(0)＝６μｍ）を充填する。
（３）隔壁上の不要な表示媒体を除去する。
（４）隔壁上に接着剤層を形成する。接着剤の硬化温度は１１０℃である。
（５）２枚の基板を、１１０℃、１時間で熱プレスすることにより貼り合わせる。
【００３７】
工程（１）〜（５）によって得られた発明例および比較例の情報表示用パネルについて、隔壁よれ、表示品位および荷重解放後の表示品位変化を観察した。さらに、可撓性のＰＥＴフィルム基板の発明例および比較例の情報表示用パネルについては、湾曲解放後の表示品位変化も観察した。これらの結果をあわせて表１、２に示す。
「隔壁よれ」は顕微鏡により隔壁状態（隔壁のよれの有無）を観察した。
「表示品位」は、評価パネルの電極間に８０Ｖの電圧を電圧の向きを変えて印加することで、評価パネルにおいて白表示および黒表示を行い、白表示および黒表示のそれぞれにおいて、光学濃度計（サカタインクスエンジニアリング（株）：ＲＤ１９Ｉ）を用いてＯＤ値（光学濃度）の測定を行った。白表示のＯＤ：ＷＯＤと黒表示のＯＤ：ＢＯＤをもとにコントラストＣＲ＝１０(BOD-WOD)を算出し、これをパネル性能の指標とした。８０Ｖ駆動時のコントラストＣＲがＣＲ＞８となる場合を◎とし、６＜ＣＲ≦８となる場合を○、４＜ＣＲ≦６となる場合を△、ＣＲ≦４となる場合を×とした。
「荷重解放後の表示品位変化」は、分銅（Φ５３ｍｍ、重さ１ｋｇ）を各情報表示用パネル上に載せ、１時間放置後、分銅を取り除いた後の表示品位を測定し、荷重を加える前の表示品位（ＣＲ前）と、荷重解放後の表示品位（ＣＲ後）の割合（ＣＲ後／ＣＲ前×１００）が８０％以上であれば○、８０％未満は×とした。
「湾曲解放後の表示品位変化」は、Φ１５０ｍｍの円筒パイプ外周に各情報表示用パネルを隔壁のＸ方向に湾曲するよう貼り付け、１時間放置後に湾曲を解放させた後の表示品位を測定し、湾曲前の表示品位（ＣＲ前）と、湾曲解放後の表示品位（ＣＲ後）の割合（ＣＲ後／ＣＲ前×１００）が８０％以上であれば○、８０％未満は×とした。
なお、表中、Ｗ１とは、隔壁の背面基板１側の端部幅であり、Ｗ２とは、隔壁の観察基板２側の端部幅である。
【００３８】
【表１】
2012189962.tif 000003
【００３９】
【表２】
2012189962.tif 000004
【００４０】
（ガラス基板を用いた情報表示用パネルの結果）
発明例１、２、３、６、８、９、１１は隔壁よれが発生せず。表示品位は良好であった。また、荷重解放後の表示品位変化も小さく良好であった。
比較例１は隔壁よれが発生しなかった。また、表示品位は良好であったが、観察側の隔壁幅が大きいため画面全体が暗かった。また、荷重解放後の表示品位変化は小さく良好であった。
比較例３、５は隔壁よれが発生し、表示品位は不良であった。また、荷重解放後の表示品位変化は大きかった。
【００４１】
（可撓性基板を用いた情報表示用パネルの結果）
発明例４、５、７、１０、１２は隔壁よれが発生せず、表示品位は良好であった。また、荷重解放後の表示品位変化も小さく良好であった。また、湾曲解放後の表示品位変化も小さく良好であった。
比較例２は隔壁よれが発生しなかった。また、表示品位は良好であったが、観察側の隔壁幅が大きいため画面全体が暗かった。また、荷重解放後の表示品位変化は小さく良好であった。また、湾曲解放後の表示品位変化は大きかった。
比較例４、６は隔壁よれが発生し、表示品位は不良であった。また、荷重解放後の表示品位変化は大きかった。また、湾曲解放後の表示品位変化は大きかった。
【符号の説明】
【００４２】
１        基板
２        基板
３Ｗ      白色表示媒体
３Ｗａ    白色粒子
３Ｂ      黒色表示媒体
３Ｂａ    黒色粒子
４        隔壁
５        電極
６        電極
２０      モールド
２１      凹部
４０      隔壁材料
【図１】
2012189962.tif 000005
【図２】
2012189962.tif 000006
【図３】
2012189962.tif 000007
【図４】
2012189962.tif 000008
【図５】
2012189962.tif 000009
【図６】
2012189962.tif 000010
【図７】
2012189962.tif 000011
【図８】
2012189962.tif 000012
【図９】
2012189962.tif 000013
【図１０】
2012189962.tif 000014